(57)【特許請求の範囲】
【請求項１】
冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン蒸発装置において、
該直方体形状のブロック体の蒸発布の上面にシート状蒸発布を敷設し、このシート状蒸発布は左右を折り曲げてなる下向き側壁を形成し、この下向き側壁を前記蒸発布片に差し入れ交差させたことを特徴とするショーケースのドレン蒸発装置。
【請求項２】
ドレンパンは底部に蒸発布片の差込用隙間を並列スリットとして形成し、ここに蒸発布片の下端を差し入れる請求項１記載のショーケースのドレン蒸発装置。
【発明の詳細な説明】
【技術分野】
【０００１】
本発明は、冷凍もしくは冷蔵ショーケース、冷蔵庫、冷凍庫等の冷凍または冷蔵装置における冷却ユニットで生じる除霜水などのドレン水を蒸発する蒸発装置に関し、特に該蒸発装置に備えられる蒸発布へ散水する装置の改良に関するものである。
【背景技術】
【０００２】
従来、この種のドレン蒸発装置として例えば下記特許文献１や特許文献２に示すものがあり、これは図７に示すように、通常、商品を収納するケース本体１の下に備えられる機械室２内に配置され、該機械室２内には圧縮機（コンプレッサー）３、凝縮器４、送風機（ファン）５などが配設される。
【特許文献１】実開平２−２４２７２号公報
【特許文献２】特開２００１−２８０８１１号公報
【０００３】
そして、ドレン蒸発装置は、図５、図６にも示すように、ドレン水を溜める受皿であるドレンパン（蒸発皿）６内に、長い蒸発布を九十九折するなどして、僅かな隙間をもって片を多数並べ、多数片の集合として直方体形状のブロック体を形成した蒸発布７と、該蒸発布７の上方に位置する散水パイプ１１とを配設している。
【０００４】
ドレンパン６内のドレン水を送るポンプ１２を同じドレンパン６内に配設し、該ポンプ１２に前記散水パイプ１１の端部を接続し、散水パイプ１１の上部に適宜間隔で上部に幅狭の散水口１１ｂを設けた。図中８は、蒸発布７を蛇行状に張設するための橋架桟である。
【０００５】
また、蒸発布７の上方にはケース本体１の底部に開口したドレン水の排水口に連通するドレンパイプ１０の先端を開口する。
【０００６】
これにより、ケース本体１からドレンパイプ１０に流入したドレン水はドレンパン６内に落ちてここに溜まる。ドレンパン６内のドレン水はポンプ１２により散水パイプ１１に吸い上げられ、散水口１１ｂから蒸発布７の上に散水する。
【０００７】
蒸発布７には、送風機５により圧縮機３および凝縮器４を通過した空気が当てられ、これらの排熱を利用して蒸発布７に含まれた水分が蒸発する。
【発明の開示】
【発明が解決しようとする課題】
【０００８】
しかし、このような蒸発装置においては、ドレンパイプ１０から直接直方体形状のブロック体を形成した蒸発布７の上面に滴下させても広がりを期待できないので、ドレンパイプ１０から一旦ドレンパン６にドレン水を貯留し、蒸発布７の毛細管現象によってドレン水を上方へ吸収させのでは、吸い上げに時間がかかり、かつ、上部まで万遍なく吸い上げられることは少ない。
【０００９】
また、ドレンパン６に貯留したドレン水をポンプ１２により散水パイプ１１に吸い上げてられ散水するにも、このポンプ１２の稼動はある程度ドレンパン６にドレン水が溜まったことを見計らって行うもので、断続運転となり、吸い上げに時間がかかる。
【００１０】
また、前記散水パイプ１１はその端部がポンプ１２に接続しており、しかも散水パイプ１１に形成した散水用の散水口１１ｂからのみドレン水が散水されることになり、蒸発布７の全体にドレン水を散水することができず、蒸発作用を良好に行うことが困難であった。
【００１１】
このように、蒸発布７の上部が有効に利用されず無駄になっている。したがって、配置スペース等の関係で蒸発布の背高を大きくすることに一定の限度がある状態では、蒸発量を大きくすることが難しかった。
【００１２】
なお、図４は改良の１案として、直方体形状のブロック体を形成した蒸発布７の上面にさらに１枚のシート状の蒸発布２１をキャノピー的に敷設した。
【００１３】
図中２２はポンプ１２と散水パイプ１１とを接続するホース、２３ａ，２３ｂは蒸発布７の前後の支え板、２４は蒸発布テープによる橋架桟である。
【００１４】
シート状の蒸発布２１はこれで散水パイプ１１からのドレン水をまず受けて、蒸発布７につなげるが、このシート状の蒸発布２１に十分ドレン水を浸透させて、ここから直方体形状のブロック体を形成した蒸発布７の上面に万遍なく行き渡させることがなかなか難しい。
【００１５】
本発明の目的は前記従来例の不都合を解消し、蒸発布を有効に活用でき、多くの蒸発量を得ることができるものであり、場合によっては、ポンプの動力を用いずとも、蒸発布の全体にわたって均等にドレン水が行き渡るようにし、ドレン水を効率よく蒸発できるようにしたショーケースのドレン蒸発装置を提供することにある。
【課題を解決するための手段】
【００１６】
前記目的を達成するため請求項１記載の本発明は、冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン蒸発装置において、該直方体形状のブロック体の蒸発布の上面にシート状蒸発布を敷設し、このシート状蒸発布は左右を折り曲げてなる下向き側壁を形成し、この下向き側壁を前記蒸発布片に差し入れ交差させたことを要旨とするものである。
【００１７】
請求項１記載の本発明によれば、ケース本体からドレンパイプに流入したドレン水は、直方体形状のブロック体の蒸発布に行く前に、シート状蒸発布で受けられる。
【００１８】
シート状蒸発布は左右を折り曲げてなる下向き側壁を形成し、この下向き側壁を前記蒸発布片に差し入れ交差させているので、ドレン水は前記側壁に浸透するとともに、多数の蒸発布片を間隔を存して並べてなる直方体形状のブロック体の蒸発布に行き渡らせることができる。
【００１９】
このように、シート状蒸発布の側壁も直方体形状のブロック体の蒸発布に係合して、該側壁に浸透するドレン水を直方体形状のブロック体の蒸発布に直接受け渡すことができ、より、蒸発効率を上げることができる。
【００２０】
請求項２記載の本発明は、ドレンパンは底部に蒸発布片の差込用隙間を並列スリットとして形成し、ここに蒸発布片の下端を差し入れることを要旨とするものである。
【００２１】
請求項２記載の本発明によれば、ドレンパンは底部に蒸発布片の差込用隙間を並列スリットとして形成し、ここに蒸発布片の下端を差し入れることにより、ドレンパンでしっかりと蒸発布片を支えることができ、また、ドレンパンと蒸発布片が一体的となり、ドレンパンから蒸発布片へのドレン水の吸い上げも効果的に行うことができる。
【発明の効果】
【００２２】
以上述べたように本発明のショーケースのドレン蒸発装置は、冷凍または冷蔵装置における冷却ユニットの除霜水等のドレン水を溜めるドレンパンと、前記ドレン水を蒸発するため前記ドレンパン内に備えられた蒸発布とを備え、蒸発布は多数片の集合として直方体形状のブロック体を形成するドレン蒸発装置において、蒸発布を有効に活用でき、多くの蒸発量を得ることができるものである。
【００２３】
また、場合によっては、ポンプの動力を用いずとも、蒸発布の全体にわたって均等にドレン水が行き渡るようにし、ドレン水を効率よく蒸発できるようになるので、ドレンパンにポンプや散水パイプを設ける必要がなく、コストの削減を実現できるものである。
【発明を実施するための最良の形態】
【００２４】
以下、本発明の実施形態を詳細に説明する。図１は本発明のショーケースのドレン蒸発装置の第１形態を示すもので、冷凍または冷蔵装置における冷却ユニットの除霜水等のドレン水を溜めるドレンパン（蒸発皿）６と、前記ドレン水を蒸発するため前記ドレンパン６内に備えられた蒸発布７とを備え、蒸発布７は多数片の集合として直方体形状のブロック体を形成する点は前記従来例と同じである。
【００２５】
多数の蒸発布片７ａを間隔を存して並べて直方体形状のブロック体を形成する蒸発布７は、各蒸発布片７ａは短片を独立させて並べたものでもよいが、長い蒸発布を九十九折するなどして、蒸発布７を蛇行状に張設するものでもよい。
【００２６】
図２、図３に示すように、ドレンパン６は底部に蒸発布片７ａの差込用隙間を並列するスリット９として形成し、ここに蒸発布片７ａの下端を差し入れるようにした。
【００２７】
前記スリット９はドレンパン６は底部の内周に段部を形成して、ここに穿設するようにしてもよいし、また、同底部を全面的に肉厚として、この肉厚底部に形成するようにしてもよい。
【００２８】
蒸発布片７ａはその下端を前記スリット９に差し込むことにより自立し、スリット９の間隔で並列することで、直方体形状のブロック体を形成する。これにより、従来必要とした蒸発布片７ａを張設するための橋架桟は不要となる。
【００２９】
前記蒸発布７の上面にシート状蒸発布２１を敷設する点は前記図４と同じであるが、本発明はこのシート状蒸発布２１は左右を折り曲げて下向き側壁２１ａを形成した。
【００３０】
そして、該側壁２１ａには切込み１３を、間隔を存して形成し、この切込み１３に前記蒸発布片７ａの上端を差し入れる。
【００３１】
このとき切り込み１３は差込口近くの切り込み幅をやや広く、奥側の切り込み幅が狭くなるように三角形状に形成することで、前記の差し入れ作業が容易になる。
【００３２】
このようにして、シート状蒸発布２１を蒸発布７の各蒸発布片７ａに差し入れ交差させることで、シート状蒸発布２１が橋架桟の役割もなす。
【００３３】
なお、他の実施形態として前記切込み１３はこれを各蒸発布片７ａ側に設け、これにシート状蒸発布２１の下向き側壁２１ａを差し入れるようにしてもよい。
【００３４】
ケース本体１からドレンパイプ１０に流入したドレン水（図７参照）を、直方体形状のブロック体の蒸発布７に行く前に、この周囲を側壁２１ａとして立ち下げたシート状蒸発布２１で受けるようにする。
【００３５】
このようにすると、ドレン水はまず、シート状蒸発布２１に貯められ、それからシート状蒸発布２１の側壁２１ａに浸透して、直方体形状のブロック体の蒸発布７の上面全体に流れていく。
【００３６】
以上の実施形態はドレンパン６にはドレン水を送るポンプや該ポンプに端部を接続する散水パイプの設置を省略した例を示したが、これらポンプや散水パイプを設置し、散水パイプからのドレン水を扁平箱体としたシート状蒸発布２１に流すようにしてもよい。
【図面の簡単な説明】
【００３７】
【図１】本発明のショーケースのドレン蒸発装置の第１形態を示す斜視図である。
【図２】蒸発布とドレンパンの関係を示す縦断側面図である。
【図３】ドレンパンへの蒸発布の設置を示す縦断側面図である。
【図４】従来例を示す斜視図である。
【図５】他の従来例を示す斜視図である。
【図６】他の従来例を示す縦断側面図である。
【図７】従来のドレン蒸発装置を機械室に設置した状態の縦断側面図である。
【符号の説明】
【００３８】
１  ケース本体              ２  機械室
３  圧縮機                  ４  凝縮器
５  送風機                  ６  ドレンパン
７  蒸発布                  ７ａ  蒸発布片
８  橋架桟                  ９  スリット
１０  ドレンパイプ          １１  散水パイプ
１１ｂ  散水口              １２  ポンプ
１３  切込み                ２１  シート状の蒸発布
２１ａ  側壁                ２２  ホース
２３ａ，２３ｂ  支え板      ２４  橋架桟
【図１】
0005569444.tif 000002
【図２】
0005569444.tif 000003
【図３】
0005569444.tif 000004
【図４】
0005569444.tif 000005
【図５】
0005569444.tif 000006
【図６】
0005569444.tif 000007
【図７】
0005569444.tif 000008